(57)【要約】【課題】  良好な揮散性能を有する薬剤揮散装置を提供すること。【解決手段】  薬剤揮散装置１０は、害虫防除成分を保持した薬剤保持体１４と、薬剤保持体１４に気流を当てるファン１２と、薬剤保持体１４およびファン１２を収容し、内部に外気を取り入れる吸気口１９と害虫防除成分を含んだ気流を外部に放出する排気口１６とを有するチャンバ１１と、を備えている。排気口１６および薬剤保持体１４の開口面積は、吸気口１９の開口面積よりも大きい。【選択図】      図３
2005218305.tif 000002
【特許請求の範囲】
【請求項１】
害虫防除成分を保持した薬剤保持体と、
前記薬剤保持体に気流を当てるファンと、
前記薬剤保持体および前記ファンを収容し、内部に外気を取り入れる吸気口と前記害虫防除成分を含んだ気流を外部に放出する排気口とを有するチャンバと、
を備えた薬剤揮散装置において、
前記排気口および前記薬剤保持体の開口面積が、前記吸気口の開口面積よりも大きいことを特徴とする薬剤揮散装置。
【請求項２】
前記ファンと前記薬剤保持体との間に通気性のあるファンカバー部材が組み付けられており、前記排気口の開口面積が、前記ファンカバー部材の開口面積の０．９〜１．１倍であることを特徴とする請求項１に記載した薬剤揮散装置。
【請求項３】
前記ファンカバー部材と前記薬剤保持体との距離が、０．５〜３．０ｍｍであることを特徴とする請求項１または請求項２に記載した薬剤揮散装置。
【発明の詳細な説明】
【技術分野】
【０００１】
本発明は、薬剤揮散装置に関し、特に、ファンを内蔵した薬剤揮散装置に関する。
【背景技術】
【０００２】
従来から、防虫を目的として、薬剤を揮散するために薬剤揮散装置が用いられている。従来の薬剤揮散装置の一例を図５に示す（例えば、特許文献１参照）。
【０００３】
図５に示されるように、薬剤揮散装置５０は、害虫防除成分を保持した薬剤保持体５１と、薬剤保持体５１に気流を当てるファン（不図示）とがチャンバ５３内に収納され、チャンバ５３に、チャンバ５３内に外気を取り入れる吸気口５４と、害虫防除成分を含んだ気流をチャンバ５３外に放出する上部，下部排気口５５，５６と、が設けられており、上部，下部排気口５５，５６が、薬剤揮散装置５０が設置される設置面に沿って害虫防除成分を含んだ気流が放出されるように配置されている。
【０００４】
薬剤揮散装置５０は、薬剤保持体５１が、チャンバ５３の挿入開口５７から挿入され、クリップ５８によりベルトＢを挟持することで、薬剤揮散装置５０を起立した使用者の身につけて、スイッチ５９をオンすると、チャンバ５３内のファンが回転され、吸気口５４から外気が気流となってチャンバ５３内に取り入れられる。その気流は薬剤保持体５１のネット状部材６０を通過する。そのとき、気流に害虫防除成分が含まれる。そして、害虫防除成分を含んだ気流Ａが、設置面である使用者の胴体表面に沿った、上部排気口５５および下部排気口５６を通って上方向および下方向のみに放出される。
【特許文献１】特開２００１−１９７８５６号公報（第２−４頁、図１）
【発明の開示】
【発明が解決しようとする課題】
【０００５】
一般に市販されている薬剤揮散装置では、気流の流れが、吸気口→ファン→薬剤保持体→排気口の順になっているが、排気口の開口面積が、吸気口の開口面積よりもかなり小さくなっており、その小さな排気口よって気流の流れが妨げられ、その結果、効率的な揮散を行なうことができない構成となっている。
【０００６】
ところで、薬剤保持体を交換する際に、ファンに指が接触しないように、ファンの前面に、通気性のあるファンカバー部材を取付けている薬剤揮散装置では、気流の流れが、吸気口→ファン→ファンカバー部材→薬剤保持体→排気口の順になるが、ファンカバー部材の開口面積と排気口の開口面積との関係が考慮されていないため、上記と同様にして、気流の流れが妨げられて、効率的な揮散を行なうことができない可能性が高かった。
【０００７】
本発明は、上記事情に鑑みてなされたものであり、その目的は、より良好な揮散性能を有する薬剤揮散装置を提供することにある。
【課題を解決するための手段】
【０００８】
前述した目的を達成するため、本発明に係る薬剤揮散装置は、下記（１）、（２）、および（３）を特徴としている。
【０００９】
（１）害虫防除成分を保持した薬剤保持体と、
前記薬剤保持体に気流を当てるファンと、
前記薬剤保持体および前記ファンを収容し、内部に外気を取り入れる吸気口と前記害虫防除成分を含んだ気流を外部に放出する排気口とを有するチャンバと、
を備えた薬剤揮散装置において、
前記排気口および前記薬剤保持体の開口面積が、前記吸気口の開口面積よりも大きいこと。
（２）前記ファンと前記薬剤保持体との間に通気性のあるファンカバー部材が組み付けられており、前記排気口の開口面積が、前記ファンカバー部材の開口面積の０．９〜１．１倍であること。
（３）前記ファンカバー部材と前記薬剤保持体との距離が、０．５〜３．０ｍｍであること。
【００１０】
上記（１）に記載した構成の薬剤揮散装置によれば、害虫防除成分を含んだ気流を外部に放出する排気口および害虫防除成分を保持した薬剤保持体の開口面積が、内部に外気を取り入れる吸気口の開口面積よりも大きい。従って、吸気口から導入された空気が効率良く薬剤保持体に当てられ、薬剤保持体を通じて排気口から放出される気流が妨げられることがなくなり、良好な揮散を行なうことができる。
上記（２）に記載した構成の薬剤揮散装置によれば、ファンカバー部材の開口面積の０．９〜１．１倍に排気口の開口面積が設定されるために、薬剤保持体を交換する際に、指の接触を防止するファンカバー部材が装着されていても、ファンカバー部材が、気流の流れを妨げることなく、良好な揮散を行なうことができる。
上記（３）に記載した構成の薬剤揮散装置によれば、ファンカバー部材を通過した気流が、０．５〜３．０ｍｍだけ離れた位置に配された薬剤保持体に当てられるために、両者の間に乱流を生ずることなく薬剤保持体の薬剤を効率よく放出することができる。
【発明の効果】
【００１１】
本発明の薬剤揮散装置によれば、気流を妨げることなく薬剤保持体に与えることができるので、良好な揮散性能を確保することができる。
【００１２】
以上、本発明について簡潔に説明した。更に、以下に説明される発明を実施するための最良の形態を添付の図面を参照して通読することにより、本発明の詳細は更に明確化されるであろう。
【発明を実施するための最良の形態】
【００１３】
以下、本発明に係る好適な実施の形態例を図面に基づいて詳細に説明する。
【００１４】
図１は本発明に係る薬剤揮散装置の一実施形態を示す斜め前方から見た分解状態での外観斜視図、図２は図１に示す薬剤揮散装置を斜め後方から見た外観斜視図、図３は図１に示す薬剤揮散装置の縦断面図、そして図４は実施例の表である。
【００１５】
図１に示すように、本発明の一実施形態である薬剤揮散装置１０は、排気口１６が形成されたフロントカバー１５、フロントケース１７、吸気口（図２に示す）１９が形成されたリアケース１８、を備えたチャンバ１１と、ファン（図３に示す）１２と、ファンカバー部材１３と、薬剤保持体１４と、から構成されている。
【００１６】
チャンバ１１は、樹脂製であって、使用者が手で持ちやすいように、等脚台形状に形成されている。
【００１７】
フロントカバー１５は、チャンバ１１の前端部に配されており、フロントケース１７に形成された位置決め孔２０，２０に挿入される位置決め突起（図３に示す）２１，２１が、下端部に突出形成されている。また、フロントカバー１５は、フロントケース１７に形成された係合部２２に嵌め入れられる係止突起２３が、上端部に突出形成されている。
【００１８】
そして、フロントカバー１５には、チャンバ１１の前面からチャンバ１１内まで貫通された排気口１６が形成されている。排気口１６は、１１本の縦スリット状に形成されており、１９７０ｍｍ２の開口面積に設定されている。排気口１６は、縦スリットに限らず横スリットであってもよく、それは意匠面を考慮して選択される。また、スリットの数も１１本に限らず適宜選択される。
【００１９】
フロントケース１７は、チャンバ１１の前方半分を形成しており、リアケース１８に嵌め付けられる。フロントケース１７は、ファン１２を駆動させるモータ（図３に示す）２４を組み付けるためのモータホルダ（図３に示す）２５と、ファンカバー部材１３を組み付けるための四角形凹状のファンカバー部材取付け部２６と、薬剤保持体１４を装着するための四角形凹状の薬剤保持体装着部２７と、フロントカバー取付け部２８と、が後方から前方に向けて順次形成されている。
【００２０】
薬剤保持体装着部２７には、薬剤保持体１４に内蔵された計時手段である乾電池（図３に示す）２９の電流を制御回路（図３に示す）３０に流すための接点３１，３１と、薬剤保持体１４が装着されているか否かを検出して電気信号を制御回路３０に与えるための接点３２，３２と、が配されている。フロントカバー取付け部２８には、下端部に位置決め孔２０，２０が形成され、上端部に係合部２２が形成されている。
【００２１】
フロントケース１７には、フロントカバー取付け部２８の下側に、スイッチ３３と、電源である乾電池（図３に示す）３４，３４の残量を表示するインジケータ３５，３５，３５と、薬剤保持体１４に保持されている害虫防除成分の残量を表示するインジケータ３６，３６，３６と、が配されている。
【００２２】
リアケース１８は、チャンバ１１の後方半分を形成しており、フロントケース１７にねじ（不図示）がねじ込まれることにより組み付けられる。
【００２３】
ファンカバー部材１３は、比較的薄い厚さをもって四角形状に形成されている。ファンカバー部材１３には、中央孔３７と、中央孔３７の外周に順次配された円形状の５本のスリット３８と、からなる連通孔３９が、ファン１２側から薬剤保持体１４に貫通状に形成されている。ファンカバー部材１３は、薬剤保持体１４を交換する際に、ファン１２に指が接触しないようにするために、ファン１２の前面に配されている。ファンカバー部材１３は、連通孔３９が、排気口１６と同等の１９８４ｍｍ２の開口面積に設定されている。
【００２４】
薬剤保持体１４は、保持体ケース４０を有し、保持体ケース４０内にハニカム状部材４１が収容されている。そして、ハニカム状部材４１に害虫防除成分を含む薬剤が保持されている。薬剤保持体１４は、保持体ケース４０が、２９１６ｍｍ２の開口面積を有し、ハニカム状部材４１が、２９１６０ｍｍ３の体積を有する。ハニカム状部材４１には、例えば、１日８時間に使用で、４５日間分の薬剤が保持される。
【００２５】
ハニカム状部材４１に保持させる薬剤の有効成分としては、害虫防除剤、殺菌剤、芳香剤、消臭剤等を例示できる。害虫防除成分として代表的なものを、以下に例示する。
・ｄｌ−３−アリル−２−メチル−４−オキソ−２−シクロペンテニル ｄｌ−シス／トランス−クリサンテマート（一般名アレスリン：商品名ピナミン：住友化学工業株式会社製）
・ｄｌ−３−アリル−２−メチル−４−オキソ−２−シクロペンテニル ｄ−シス／トランス−クリサンテマート（商品名ピナミンフォルテ：住友化学工業株式会社製）
・ｄｌ−３−アリル−２−メチル−４−オキソ−２−シクロペンテニル ｄ−トランス−クリサンテマート（一般名バイオアレスリン、商品名エスバイオール：ユクラフ社製）
・ｄ−３−アリル−２−メチル−４−オキソ−２−シクロペンテニル ｄ−トランス−クリサンテマート（商品名エキスリン：住友化学工業株式会社製）
・（５−ベンジル−３−フリル）メチル ｄ−シス／トランス−クリサンテマート（一般名レスメトリン：商品名クリスロンフォルテ：住友化学工業株式会社製）
・５−プロパギル−２−フリルメチル−ｄ−シス／トランス−クリサンテマート（一般名フラメトリン：商品名ピナミンＤフォルテ：住友化学工業株式会社製）
・（＋）−２−メチル−４−オキソ−３−（２−プロピニル）−２−シクロペンテニル（＋）−シス／トランス−クリサンテマート（一般名プラレトリン、商品名エトック：住友化学工業株式会社製）
・ｄｌ−３−アリル−２−メチル−４−オキソ−２−シクロペンテニル−ｄｌ−シス／トランス−２，２，３，３−テトラメチルシクロプロパンカルボシキラート（一般名テラレスリン：住友化学工業株式会社製）
・（１，３，４，５，６，７−ヘキサヒドロ−１，３−ジオキソ−２−イソインドリル）メチル−ｄｌ−シス／トランス−クリサンテマート（一般名フタルスリン、商品名ネオピナミン：住友化学工業株式会社製）
・（１，３，４，５，６，７−ヘキサヒドロ−１，３−ジオキソ−２−イソインドリル）メチル−ｄ−シス／トランス−クリサンテマート（商品名ネオピナミンフォルテ：住友化学工業株式会社製）
・３−フェノキシベンジル−ｄ−シス／トランス−クリサンテマート（一般名フェノトリン、商品名スミスリン：住友化学工業株式会社製）
・３−フェノキシベンジル−ｄｌ−シス／トランス−３−（２，２−ジクロロビニル）−２，２−ジメチル−１−シクロプロパンカルボキシラート（一般名ペルメトリン、商品名エクスミン：住友化学工業株式会社製）
・（±）α−シアノ−３−フェノキシベンジル（＋）−シス／トランス−クリサンテマート（一般名シフェノトリン、商品名ゴキラート：住友化学工業株式会社製）
・１−エチニル−２−メチル−２−ペンテニル ｄｌ−シス／トランス−３−（２，２−ジメチルビニル）−２，２−ジメチル−１−シクロプロパンカルボキシラート（一般名エンペントリン、商品名ベーパースリン：住友化学工業株式会社製）
・ｄ−トランス−２，３，５，６−テトラフルオロベンジル−３−（２，２−ジクロロビニル）−２，２−ジメチル−１−シクロプロパンカルボキシレート（一般名トランスフルスリン）
・１−エチニル−２−メチル−２−ペンテニル ３−（２，２−ジクロロエテニル）−２，２−ジメチルシクロプロパンカルボキシラート等。
【００２６】
また、上記した化合物に例えば構造上類似し、実質的には同様の薬効のある化合物も挙げることができる。例えばエンペントリンの場合３位の２個の置換基はメチル基であるが、その置換基として他のアルキル基、不飽和アルキル基またはハロゲン原子である化合物を用いることもできる。この他にも、フィプロニール、Ｓ−１２９５、イミプロトリン、フラニル系の殺虫剤であるジノテフラン（化学名：（ＲＳ）−１−メチル−２−ニトロ−３−（テトラヒドロ−３−フリルメチル）グアニジン）、トリクロルホン、カルタップ、アセタミプリド、ニテンピラム、イミダクロプリド（Ｉｍｉｄａｃｌｏｐｒｉｄ、日本バイエルアグロケム社製）、ニテンピラム（Ｎｉｔｅｎｐｙｒａｍ、住化武田農薬社製）、チアクロプリド（Ｔｈｉａｃｌｏｐｒｉｄ、日本バイエルアグロケム社製）、クロチアニジン（Ｃｌｏｔｉａｎｉｄｉｎ、住化武田農薬社製）、チアメトキサム（Ｔｈｉａｍｅｔｈｏｘａｍ、シンジェンタ社製）、プロポクスル（Ｐｒｏｐｏｘｕｒ、バイエル薬品社製）、ピメトロジン（Ｐｙｍｅｔｒｏｚｉｎｅ、シンジェンタ社製）、フェニトロチオン（住友化学社製）、フェンチオン（バイエル社製）、メトフルトリン（住友化学社製）、アミドフルメト（住友化学社製）、植物精油などの殺虫剤やメトプレン（イソプロピル（２Ｅ−２Ｅ）−１１−メトキシ−３，７，１１−トリメチル−２，４−トリメチルドデカ−２，４−ジエノエート）、ピリプロキシフェン、８２−［１−メチル−２−（フェノキシフェノキシ）エトキシ］ピリジン）などの昆虫幼若ホルモン、ジフルペンズロン（１−（４−クロロフェニル）−３−（２，６−ジフルオロベンゾイル）ウレア）、テフルベンズロン（１−（３，５−ジフルオロベンゾイル）ウレア）などの昆虫キチン形成阻害化合物などが挙げられる。
【００２７】
こうした中でも、常温で難揮散性のものが好ましく、さらに、プラレトリン、レスメトリン、バイオアレスリン、フラメトリン、テラレスリン、トランスフルスリン、メトフルトリンが特に好ましい。このような害虫防除成分は単独で用いてもよく、組み合わせて用いてもよい。また、これらの類縁体も用いられる。これらのうち常温で揮散しやすいものについては、例えば、揮散を調整するためのカバーを設けたり、ポリブテン、イソパラフィン、ノルマルパラフィン等の炭化水素類や、ラウリン酸ヘキシル、ミリスチン酸イソプロピル、フタル酸ブチルなどのエステル類からなる揮散調整剤を併用したりすることで、難揮散性となり長時間にわたって害虫防除効果を得ることができる。
【００２８】
薬剤保持体１４に薬剤を保持させる際に、薬剤保持体１４に薬剤を容易に含浸させるための理由で液状薬剤を低粘度化する添加剤として、ミリスチン酸イソプロピル、パルミチン酸イソプロピル、ラウリル酸ヘキシルなどの脂肪酸エステルやイソプロピルアルコール、ポリエチレングリコール、脱臭ケロシンなどの溶剤を必要に応じて使用することができる。また、薬剤保持体に薬剤を保持させる際に、その他の補助成分とともにこれを保持させることができ、例えば、蒸散促進用助剤として昇華性物質を添加すると揮散効果が高まってよい。害虫防除成分としてピレスロイド系化合物を使用する場合には、これに対して有効な既知の共力剤を混合することも好ましい。さらにＢＨＴやＢＨＡなどの酸化防止剤や紫外線吸収剤を添加すると光、熱、酸化などに対する安定性が高まる。
【００２９】
薬剤保持体１４は、形態、材質、サイズ等を任意に設定できるが、簡単な構造で、通気性の大きいものが好ましい。例えば、ハニカム形状、すのこ形状、蛇腹形状、網形状、スリット形状、格子形状、粒状、顆粒状、または開孔を設けた紙類等の構造のものを採用できる。各セルの形状も本発明の効果の面では問題にならない。上記した以外の形状として、例えば６角形蜂の巣形状でも、円形状、Ｓ字形状でもよい。通気性ケース（保持体ケース）中に、粒体、ブロック、粉砕物等を、通気性を阻害しないように収納した通気性担体も、薬剤保持体として使用しうる。
【００３０】
薬剤保持体１４を形成する材質は、有効成分を十分に保持できるものであれば特に限定されない。しかし、保持した有効成分を一時に揮散させるようなものより、要求される時間にわたって同じ量の有効成分を連続的に揮散させることができるような材質であることが好ましい。例えば紙類（濾紙、パルプ、リンター、厚紙、ダンボール等）、樹脂類（ポリエチレン、ポリプロピレン、ポリ塩化ビニル、高吸油性ポリマー等）、セラミック、ガラス繊維、炭素繊維、化学繊維（ポリエステル、ナイロン、アクリル、ビニロン、ポリエチレン、ポリプロピレン等）、天然繊維（木綿、絹、羊毛、麻等）、ガラス繊維、炭素繊維、化学繊維、天然繊維等からなる不織布、編織布等の布綿、多孔性ガラス材料、多孔性金属材料、金網等が挙げられる。
【００３１】
また、薬剤保持体１４は、有効成分を含む薬剤を保持し、これらの一種または二種以上を組み合わせて任意の形状にして使用するものであってもよい。薬剤保持体１４に有効成分等を保持させるには、薬剤保持体１４に薬剤を滴下塗布、含浸塗布、スプレー塗布等の液状塗布方法、液状印刷、はけ塗り等の方法、或いは薬剤保持体１４へ貼りつけする方法等を用いることができる。更に、使用する組成物が液状のものでない場合、或いは溶剤を使用しない場合、混練込み、塗布、印刷等の方法を適用できる。
【００３２】
薬剤保持体１４に保持される有効成分量は、通常、当該薬剤保持体１４の飽和含浸量までとするが、薬剤保持体１４に、吸液材を介して別途補給用容器を連結することにより、長期間にわたり連続的に容器内の液がなくなるまで使用可能な形態にすることもできる。
【００３３】
図２に示すように、リアケース１８は、リアケース本体４２と、電池カバー４３とから、２部品で構成されている。リアケース本体４２には、下部に電池ホルダ（図３に示す）４４が形成されており、電池ホルダ４４内に、この場合は、２本の単３型の乾電池３４，３４が収容される。
【００３４】
また、リアケース本体４２には、チャンバ１１の後面からチャンバ内まで貫通された吸気口１９が形成されている。吸気口１９は、１１本の横スリット状に形成されており、１３９５ｍｍ２の開口面積に設定されている。吸気口１９は、横スリットに限らず縦スリットであってもよく、それは意匠面を考慮して選択される。また、スリットの数も１１本に限らず適宜選択される。電池カバー４３は、弾性突起４５を有し、弾性突起４５がリアケース本体３７にスナップアクション式に嵌め付けられることによって電池ホルダ４４を閉塞する。
【００３５】
図３に示すように、フロントケース１７の下部には、制御回路３０が組み付けられている。ファン１２は、直径が５７ｍｍであり、モータホルダ２５に組み付けられたモータ２４のモータ軸４６に固定されている。制御回路３０には、モータ２４、電池ホルダ４３に収容されている乾電池３４，３４、接点３１，３１、接点３２，３２が電気的に接続されている。薬剤保持体１４には、計時手段として機能する乾電池２９が組み付けられている。そして、ファンカバー部材１３は、薬剤保持体１４との間に、０．５〜３．０ｍｍの隙間距離Ｌ１を置いてファンカバー部材取付け部２６に取付けられている。ファン１２としては、ロータリーファン、シロッコファン、ピエゾファン等を採用できる。また、電源としては、アルカリ電池（乾電池）、マンガン電池（乾電池）、水銀電池等を使用でき、或いは、太陽電池、ニッカド電池、蓄電池等も使用できる。また家庭用商用電源を用いてもよい。
【００３６】
ファン１２は、リアケース１８の吸気口１９と、ファンカバー部材１３と、の間に配されているために、モータ２４が駆動されることによって回転され、吸気口１９のチャンバ１１内に負圧を発生させる。そして、ファン１２が発生した負圧により、吸気口１９を通じて、チャンバ１１内に空気が導入され、その空気による気流が、ファンカバー部材１３を通じて薬剤保持体１４のハニカム状部材４１に当てられる。そこで、害虫防除成分を含んだ気流が、フロントカバー１５の排気口１６から、外部に放出される。
【００３７】
上述した薬剤揮散装置１０は、乾電池３４，３４が電池ホルダ４３に装着され、薬剤保持体１４が薬剤保持体装着部２７に装着され、フロントカバー１５が、フロントカバー装着部２８に装着されて使用される。このとき、薬剤保持体１４が、薬剤保持体装着部２７に装着されていないと、接点３２，３２の導通状態により、薬剤保持体１４が未装着であることが制御回路３０によって検出されるために、スイッチ３３をオン切換えしても、電源がモータ２４に与えられず、ファン１２は駆動されない。薬剤保持体１４が薬剤保持体装着部２７に装着されると、接点３２，３２の導通状態により、薬剤保持体１４が装着されていることが制御回路３０によって検出されるために、スイッチ３３がオン切換えされることによって、ファン１２が駆動される。スイッチ３３がオン切換えされてからは、インジケータ３５，３５，３５が、乾電池３４，３４の残量に応じて順次点灯されていき、乾電池３４，３４の残量を表示する。また、インジケータ３６，３６，３６が、薬剤保持体１４の薬剤の残量に応じて順次点灯されていき、薬剤の残量を表示し、薬剤保持体１４の交換時期を知らせる。
【００３８】
上述した薬剤揮散装置１０では、排気口１６の開口面積（１９７０ｍｍ２）および薬剤保持体１４の開口面積（２９１６ｍｍ２）が、吸気口１９の開口面積（１３９５ｍｍ２）よりも大きく設定されている。また、排気口１６の開口面積（１９７０ｍｍ２）は、吸気口１９の開口面積（１３９５ｍｍ２）の１．３〜１．６倍に設定されている。また、排気口１６の開口面積（１９７０ｍｍ２）は、ファンカバー部材１３の開口面積（１９８４ｍｍ２）の０．９〜１．１倍に設定されている。そして、ファンカバー部材１３が、薬剤保持体１４との間に、０．５〜３．０ｍｍの隙間距離Ｌ１を置いて配されている。そのため、各開口面積の大きさ関係は、以下のように表される。
薬剤保持体１４＞排気口１６≒ファンカバー部材１３＞吸気口１９
となる。
【００３９】
（実施例）
次に、図４を参照して、本発明の一実施形態に係る薬剤揮散装置１０の作用効果を確認するために行なった実施例について説明する。
実施例においては、ファンカバー部材１３と薬剤保持体１４との隙間距離Ｌ１が１．５ｍｍに設定された本発明の薬剤揮散装置１０をＡとし、従来の薬剤揮散装置としてＢを用意した。
Ｂの薬剤揮散装置は、吸気口の開口面積が１３１５ｍｍ２、排気口の開口面積が１１５０ｍｍ２、ファン直径が５７ｍｍ、薬剤保持体の開口面積が２９１６ｍｍ２、薬剤保持体の体積が２９１６０ｍｍ３である。
【００４０】
図４に示すように、実施例によれば、
本発明の薬剤揮散装置１０（Ａ）は、風量が１．０８Ｌ／ｓ得られ、揮散量が０．７６ｍｇ／ｈとなった。
これに対し、薬剤揮散装置Ｂは、風量が１．０１Ｌ／ｓしか得られず、その結果、揮散量が０．６８ｍｇ／ｈに留まった。これは、吸気口の開口面積に対して、排気口の開口面積が小さくなっていることにより、良好な揮散を行なうことができないからである。
【００４１】
つまり、ファン１２の回転を利用して薬剤保持体１４の薬剤を効率良く揮散させるためには、薬剤保持体１４および排気口１６の開口面積が、吸気口１９の開口面積よりも大きくなければ、気流の流れが妨げられ、適切な揮散ができないことがわかる。また、ファンカバー部材１３の開口面積が、排気口１６の開口面積とほぼ同一であることが適切な揮散をもたらすことが見出された。排気口１６および薬剤保持体１４の開口面積は吸気口１９の開口面積よりも大きければ、特に規定されないが、排気口１６が吸気口１９の１．３〜１．６倍であることが、良好な揮散を得るために好ましいことがわかった。ファンカバー部材１３の開口面積と排気口１６の開口面積は、ほぼ同一であるということは、どちらが大きいということではなく、０．９〜１．１倍であれば、どちらが大きくても、同一でもよい。ファン１２とファンカバー部材１３との距離は、装置全体をコンパクトにするために、小さい方が良く、０．５〜３．０ｍｍ、好ましくは、１．５ｍｍ前後が良いことがわかった。
【００４２】
本実施形態の薬剤揮散装置１０によれば、害虫防除成分を含んだ気流を外部に放出する排気口１６および害虫防除成分を保持した薬剤保持体１４の開口面積が、内部に外気を取り入れる吸気口１９の開口面積よりも大きい。従って、吸気口１９から導入され空気が効率良く薬剤保持体１４に当てられ、薬剤保持体１４を通じて排気口１６から放出される気流が妨げられることがなくなり、良好な揮散を行なうことができる。
【００４３】
また、本実施形態の薬剤揮散装置１０によれば、ファンカバー部材１３の開口面積の０．９〜１．１倍に排気口１６の開口面積が設定されるために、薬剤保持体１４を交換する際に、指の接触を防止するファンカバー部材１３が装着されていても、ファンカバー部材１３が、気流の流れを妨げることなく、良好な揮散を行なうことができる。
【００４４】
また、本実施形態の薬剤揮散装置１０によれば、ファンカバー部材１３を通過した気流が、０．５〜３．０ｍｍだけ離れた位置に配された薬剤保持体１４に当てられるために、両者の間に乱流を生ずることなく薬剤保持体１４の薬剤を効率よく放出することができる。
【００４５】
尚、本発明は、前述した実施形態に限定されるものではなく、適宜、変形、改良等が可能である。例えば、吸気口をリアケースの側部に配し、リアケースの背面にフックを設けて携帯用としてもよい。
【図面の簡単な説明】
【００４６】
【図１】本発明に係る薬剤揮散装置の一実施形態を示す斜め前方から見た分解状態での外観斜視図である。
【図２】図１に示した薬剤揮散装置を斜め後方から見た外観斜視図である。
【図３】図１に示した薬剤揮散装置の縦断面図である。
【図４】実施例の表である。
【図５】従来の薬剤揮散装置の外観図である。
【符号の説明】
【００４７】
１０  薬剤揮散装置
１１  チャンバ
１２  ファン
１３  ファンカバー部材
１４  薬剤保持体
１６  排気口
１９  吸気口
【図１】
2005218305.tif 000003
【図２】
2005218305.tif 000004
【図３】
2005218305.tif 000005
【図４】
2005218305.tif 000006
【図５】
2005218305.tif 000007